(57)【要約】【課題】振動、騒音が発生するのを防止する。【解決手段】ケーシング１にステータ２を固定し、ケーシング１に回転軸４を回転可能に支持し、回転軸４にロータ５を固定し、回転軸４に軸受６、７を介して旋回軸８を偏心して回転可能に支持し、旋回軸８に旋回板９を取り付け、ケーシング１と旋回板９との間に３個のピンクランク１０を設け、ケーシング１に固定スクロール１１を固定し、旋回軸８に旋回スクロール１２を取り付け、旋回スクロール１２のスクロール本体１３に固定スクロール１１のラップと同一形状の上ラップ１４および下ラップ１５を設け、旋回スクロール１２の上ラップ１４、下ラップ１５と固定スクロール１１のラップとを重なり合わせて複数の変圧室を形成する。【選択図】　　　　図１
2004092559.tif 000002
【特許請求の範囲】
【請求項１】
クランク式自転防止手段またはＬＭガイド式自転防止手段をケーシングと旋回軸との間または固定スクロールの外側と上記旋回軸との間に設けたことを特徴とするスクロール流体機械。
【請求項２】
上記旋回軸に対して上記クランク式自転防止手段または上記ＬＭガイド式自転防止手段を上記旋回軸の中心線方向に滑合可能に取り付けたことを特徴とする請求項１に記載のスクロール流体機械。
【請求項３】
上記クランク式自転防止手段または上記ＬＭガイド式自転防止手段の上記旋回軸側部分に対して上記ケーシング側部分または上記固定スクロール側部分を上記旋回軸の中心線方向に滑合可能に取り付けたことを特徴とする請求項１に記載のスクロール流体機械。
【発明の詳細な説明】
【０００１】
【発明の属する技術分野】
本発明は空気圧縮機、真空ポンプ、冷媒ガス圧縮機、酸素吸入機用圧縮機等として用いられるスクロール流体機械に関するものである。
【０００２】
【従来の技術】
従来のスクロール流体機械においては、ケーシングと旋回スクロールとの間にオルダム継手式自転防止手段を設けている。
【０００３】
【発明が解決しようとする課題】
しかし、このようなスクロール流体機械においては、振動、騒音が発生する。
【０００４】
本発明は上述の課題を解決するためになされたもので、振動、騒音が発生することがないスクロール流体機械を提供することを目的とする。
【０００５】
【課題を解決するための手段】
この目的を達成するため、本発明においては、クランク式自転防止手段またはＬＭガイド式自転防止手段をケーシングと旋回軸との間または固定スクロールの外側と上記旋回軸との間に設ける。
【０００６】
この場合、上記旋回軸に対して上記クランク式自転防止手段または上記ＬＭガイド式自転防止手段を上記旋回軸の中心線方向に滑合可能に取り付けてもよい。
【０００７】
また、上記クランク式自転防止手段または上記ＬＭガイド式自転防止手段の上記旋回軸側部分に対して上記ケーシング側部分または上記固定スクロール側部分を上記旋回軸の中心線方向に滑合可能に取り付けてもよい。
【０００８】
【発明の実施の形態】
図１は本発明に係るスクロール流体機械を示す概略断面図、図２は図１に示したスクロール流体機械の一部を示す断面図、図３は図２のＡ矢視図である。図に示すように、ケーシング１にステータ２が固定され、ケーシング１に軸受３を介して回転軸４が回転可能に支持され、回転軸４にロータ５が固定され、ステータ２、ロータ５等によりモータが構成されている。また、回転軸４に軸受６、７を介して旋回軸８が回転可能に支持され、回転軸４の中心線と旋回軸８中心線とは偏っている。すなわち、旋回軸８は回転軸４に偏心して回転可能に支持されている。また、旋回軸８に旋回板９が取り付けられ、旋回板９は旋回軸８に対して旋回軸８の中心線の方向に滑合可能である。また、ケーシング１と旋回板９との間に３個のピンクランク１０が設けられている。このピンクランク１０のクランク本体１８には軸１９、２０が設けられ、軸１９の中心線と軸２０の中心線とは偏心しており、この偏心量は回転軸４の中心線と旋回軸８の中心線との偏心量と等しい。また、ピンクランク１０の軸１９はケーシング１に軸受２１を介して回転可能に支持され、ピンクランク２１の軸２０は旋回板９に軸受２２を介して回転可能に支持されている。そして、旋回板９、ピンクランク１０等により旋回軸８の偏心旋回を許容しかつ旋回軸８の自転を防止するクランク式自転防止手段２３が構成されている。また、ケーシング１に固定スクロール１１が固定され、固定スクロール１１には渦巻状のラップが設けられている。また、旋回軸８に旋回スクロール１２が取り付けられ、旋回スクロール１２のスクロール本体１３には固定スクロール１１のラップと同一形状の上ラップ１４および下ラップ１５が設けられ、旋回スクロール１２の上ラップ１４、下ラップ１５と固定スクロール１１のラップとが重なり合っており、複数の変圧室が形成されている。そして、ケーシング１、モータ、回転軸４、旋回軸８、クランク式自転防止手段２３等により偏心旋回駆動装置１６が構成され、また固定スクロール１１、旋回スクロール１２等により偏心旋回駆動装置１６によって駆動される流体機械本体１７が構成されている。
【０００９】
このスクロール流体機械においては、回転軸４、ロータ５が回転し、旋回軸８は回転軸４の中心線を中心として偏心旋回するが、クランク式自転防止手段２３が設けられているから、旋回軸８は自転しない。このため、旋回軸８、旋回スクロール１２がケーシング１、固定スクロール１１に対して回転せずに偏心旋回するから、旋回スクロール１２と固定スクロール１１との間に形成された変圧室が徐々に縮小する。したがって、空気等の被変圧ガスは変圧室で変圧される。
【００１０】
このようなスクロール流体機械においては、自転防止手段としてクランク式自転防止手段２３を用いているから、振動、騒音が発生することがない。また、旋回板９は旋回軸８に対して旋回軸８の中心線の方向に滑合可能であるから、熱膨張等により旋回軸８が旋回軸８の中心線の方向に変位したとしても、クランク式自転防止手段２３に過大な負荷が作用するのを防止することができる。
【００１１】
図４は本発明に係る他のスクロール流体機械を示す概略断面図、図５は図４のＢ−Ｂ断面図、図６は図４に示したスクロール流体機械の一部を示す断面図である。図に示すように、ケーシング３１にステータ３２が固定され、ケーシング３１に軸受３３を介して回転軸３４が回転可能に支持され、回転軸３４にロータ３５が固定され、ステータ３２、ロータ３５等によりモータが構成されている。また、回転軸３４に軸受３６、３７を介して旋回軸３８が回転可能に支持され、回転軸３４の中心線と旋回軸３８中心線とは偏っている。すなわち、旋回軸３８は回転軸３４に偏心して回転可能に支持されている。また、ケーシング３１にＬＭレール４８が固定され、旋回軸３８にＬＭレール４９が固定され、ＬＭレール４８とＬＭレール４９とは直角である。また、ケーシング３１と旋回軸３８との間に旋回リング５０が設けられ、旋回リング５０にそれぞれ２つのＬＭブロック５１、５２が取り付けられ、ＬＭブロック５１によりＬＭレール４８が相対的に滑合可能に支持されており、ＬＭブロック５２によりＬＭレール４９が相対的に滑合可能に支持されている。そして、ＬＭレール４８、ＬＭブロック５１により第１のＬＭガイドが構成され、ＬＭレール４９、ＬＭブロック５２により第２のＬＭガイドが構成され、第１、第２のＬＭガイド、旋回リング５０により旋回軸３８の偏心旋回を許容しかつ旋回軸３８の自転を防止するＬＭガイド式自転防止手段５３が構成されている。また、ケーシング３１に固定スクロール４１が固定され、固定スクロール４１には渦巻状のラップが設けられている。また、旋回軸３８に旋回スクロール４２が取り付けられ、旋回スクロール４２のスクロール本体４３には固定スクロール４１のラップと同一形状の上ラップ４４および下ラップ４５が設けられ、旋回スクロール４２の上ラップ４４、下ラップ４５と固定スクロール４１のラップとが重なり合っており、複数の変圧室が形成されている。そして、ケーシング３１、モータ、回転軸３４、旋回軸３８、ＬＭガイド式自転防止手段５３等により偏心旋回駆動装置４６が構成され、また固定スクロール４１、旋回スクロール４２等により偏心旋回駆動装置４６によって駆動される流体機械本体４７が構成されている。
【００１２】
このスクロール流体機械においては、回転軸３４、ロータ３５が回転し、旋回軸３８は回転軸３４の中心線を中心として偏心旋回するが、ＬＭガイド式自転防止手段５３が設けられているから、旋回軸３８は自転しない。このため、旋回軸３８、旋回スクロール４２がケーシング３１、固定スクロール４１に対して回転せずに偏心旋回するから、旋回スクロール４２と固定スクロール４１との間に形成された変圧室が徐々に縮小する。したがって、空気等の被変圧ガスは変圧室で変圧される。
【００１３】
このようなスクロール流体機械においては、自転防止手段としてＬＭガイド式自転防止手段５３を用いており、各ＬＭブロック５１、５２とＬＭレール４８、４９とはボールを介して摺動可能に支持されているから、過大な負荷を防止することができ、振動、騒音が発生することがない。
【００１４】
なお、上述実施の形態においては、ケーシング１、３１の下部すなわちロータ５、３５よりも流体機械本体１７、４７側とは反対側にクランク式自転防止手段２３、ＬＭガイド式自転防止手段５３を設けたが、ケーシングの上部すなわちロータよりも流体機械本体側にクランク式自転防止手段、ＬＭガイド式自転防止手段を設けてもよい。また、上述実施の形態においては、ケーシング１、３１と旋回軸８、３８との間にクランク式自転防止手段２３、ＬＭガイド式自転防止手段５３を設けたが、固定スクロールの外側すなわち固定スクロールの偏心旋回駆動装置側とは反対側と固定スクロールを貫通した旋回軸との間にクランク式自転防止手段、ＬＭガイド式自転防止手段を設けてもよい。また、上述実施の形態においては、旋回板９を旋回軸８に対して旋回軸８の中心線の方向に滑合可能としたが、旋回軸に対してクランク式自転防止手段またはＬＭガイド式自転防止手段を旋回軸の中心線方向に滑合可能に取り付ければよい。また、上述実施の形態においては、旋回板９を旋回軸８に対して旋回軸８の中心線の方向に滑合可能としたが、クランク式自転防止手段またはＬＭガイド式自転防止手段の旋回軸側部分に対してケーシング側部分または固定スクロール側部分を旋回軸の中心線方向に滑合可能に取り付けてもよく、この場合にもクランク式自転防止手段、ＬＭガイド式自転防止手段に過大な負荷が作用するのを防止することができる。また、上述実施の形態においては、自己流体圧発生手段８６により油圧を発生させたが、自己流体圧発生手段により他の流体圧を発生させてもよい。
【００１５】
【発明の効果】
本発明に係るスクロール流体機械においては、自転防止手段としてクランク式自転防止手段またはＬＭガイド式自転防止手段を用いているから、振動、騒音が発生することがない。
【００１６】
また、旋回軸に対してクランク式自転防止手段またはＬＭガイド式自転防止手段を旋回軸の中心線方向に滑合可能に取り付けたときには、クランク式自転防止手段、ＬＭガイド式自転防止手段に過大な負荷が作用するのを防止することができる。
【００１７】
また、クランク式自転防止手段またはＬＭガイド式自転防止手段の旋回軸側部分に対してケーシング側部分または固定スクロール側部分を旋回軸の中心線方向に滑合可能に取り付けたときには、クランク式自転防止手段、ＬＭガイド式自転防止手段に過大な負荷が作用するのを防止することができる。
【図面の簡単な説明】
【図１】本発明に係るスクロール流体機械を示す概略断面図である。
【図２】図１に示したスクロール流体機械の一部を示す断面図である。
【図３】図２のＡ矢視図である。
【図４】本発明に係る他のスクロール流体機械を示す概略断面図である。
【図５】図４のＢ−Ｂ断面図である。
【図６】図４に示したスクロール流体機械の一部を示す断面図である。
【符号の説明】
１…ケーシング
８…旋回軸
１０…ピンクランク
１１…固定スクロール
１８…クランク本体
１９…軸
２０…軸
２３…クランク式自転防止手段
３１…ケーシング
３８…旋回軸
４１…固定スクロール
４８…ＬＭレール
４９…ＬＭレール
５０…旋回リング
５１…ＬＭブロック
５２…ＬＭブロック
５３…ＬＭガイド式自転防止手段
【図１】
2004092559.tif 000003
【図２】
2004092559.tif 000004
【図３】
2004092559.tif 000005
【図４】
2004092559.tif 000006
【図５】
2004092559.tif 000007
【図６】
2004092559.tif 000008